(57)【要約】【課題】  蓄光剤の作用により消灯後、カバーを暗闇でも長時間高輝度に自然発光させることができ、ガラス膜のコーティング特性により、汚れの付着軽減や殺菌効果を発揮することができる照明器具用カバーを提供すること。【解決手段】  照明器具の周囲に配設される照明器具用カバーであって、該照明器具用カバー１の基材２を、無色透明な合成樹脂液と蓄光剤との混合材３にて形成すると共に、前記基材２の表面に、単一あるいは多成分系の金属酸化物ガラス膜により形成されるガラス膜層４を施すことを特徴とする。また前記ガラス膜層４の表面に酸化チタン液５を塗布した。【選択図】図１
2008166214.tif 000002
【特許請求の範囲】
【請求項１】
照明器具の周囲に配設される照明器具用カバーであって、該照明器具用カバーの基材を、無色透明な合成樹脂液と蓄光剤との混合材にて形成すると共に、前記基材の表面に、単一あるいは多成分系の金属酸化物ガラス膜により形成されるガラス膜層を施すことを特徴とする照明器具用カバー。
【請求項２】
前記ガラス膜層は、加水分解可能な有機金属化合物を、水と有機溶剤の反応液中で、ホウ素イオンの存在下、ハロゲンイオンを触媒にし、ｐＨを２ないし３に調製しつつ加水分解、脱水縮合して反応生成物を生成し、５０〜６０度以下の温度でガラス化してなる膜層により形成される請求項１記載の照明器具用カバー。
【請求項３】
前記ガラス膜層の表面に酸化チタン液を塗布した請求項２記載の照明器具用カバー。
【発明の詳細な説明】
【技術分野】
【０００１】  本発明は、照明器具の周囲に配設されるカバーであって、特に消灯後、暗闇でも長時間高輝度に自然発光することで電力エネルギーを軽減すると共に、優れたコーティング特性により防汚特性や殺菌効果を発揮する照明器具用カバーに関する。
【背景技術】
【０００２】  従来、蓄光剤の発光特性により、消灯後または停電時においてもカバー全体が暗闇で長時間高輝度に発光し、優れた省エネと災害対策効果を発揮することができる照明器具蓄光カバーがある（例えば、特許文献１参照）。
上掲特許文献１の照明器具蓄光カバーは、本出願により鋭意研究し開発されたものである。前記照明器具蓄光カバーは、照明器具の周囲に配設されるカバーであって、かかるカバーの基材は、無色透明な合成樹脂液と蓄光剤との混合材にて形成されることを特徴とする。
【特許文献１】特開２００５−１８３３４９号公報
【発明の開示】
【発明が解決しようとする課題】
【０００３】  上掲特許文献１の照明器具蓄光カバーは、電力消費の大幅な削減が実現されると共に、火災や地震等の災害発生時、停電が起きても照明器具周辺が明るく照らし出され、災害対策にも優れた効果を発揮することができ、さらに、酸化チタン液の光触媒作用で空気の浄化と汚れ付着の軽減を実現できるという優れた特徴を有する。しかし上述の構成では、カバー全体に防汚、防傷効果を有するコーティング特性を付与するまでには至らなかった。【０００４】  そこで本発明は上記課題を解決するために、蓄光剤の作用により消灯後、カバーを暗闇でも長時間高輝度に自然発光させることができ、さらにはガラス膜のコーティング特性により、汚れの付着軽減や殺菌効果を発揮することができる照明器具用カバーを提供することにある。
【課題を解決するための手段】
【０００５】  上記課題を解決するために、本発明の照明器用カバーは、照明器具の周囲に配設される照明器用カバーであって、かかる照明器用カバーの基材を、無色透明な合成樹脂液と蓄光剤との混合材にて形成すると共に、前記基材の表面に、単一あるいは多成分系の金属酸化物ガラス膜により形成されるガラス膜層を施すことを特徴とする。また前記ガラス膜層は、加水分解可能な有機金属化合物を、水と有機溶剤の反応液中で、ホウ素イオンの存在下、ハロゲンイオンを触媒にし、ｐＨを２ないし３に調製しつつ加水分解、脱水縮合して反応生成物を生成し、５０〜６０度以下の温度でガラス化してなる膜層により形成される。さらに前記ガラス膜層の表面に酸化チタン液を塗布した。
【発明の効果】
【０００６】  照明器具のカバー基材を、無色透明な合成樹脂液と蓄光剤との混合材にて形成し、さらに、表面にガラス膜層を施したことで、蓄光剤の作用により消灯後、カバーを暗闇でも長時間高輝度に自然発光させることができ、さらにはガラス膜のコーティング特性により、汚れの付着の軽減や殺菌効果を発揮することができる。【０００７】  また、前記ガラス膜層の表面に酸化チタン液を塗布したことで、酸化チタン液の光触媒機能により防汚効果を高めると共に、カバー周囲の空気を浄化させることも可能となる。
【発明を実施するための最良の手段】
【０００８】  以下、本発明による照明器具用カバーの実施の形態を図面に基づいて説明する。
図１に示す本発明の照明器具用カバー１は、既存の照明器具１０の周囲に配設され、外部の衝撃から照明器具１０を保護すると共に、蓄光剤の作用により消灯後、カバーを暗闇でも長時間高輝度に自然発光させることができ、さらにはガラス膜のコーティング特性により、汚れの付着軽減や殺菌効果を発揮することができる特性を有する。
【０００９】  前記照明器具用カバー１は、一般家庭、電車や航空機、ビルや店舖等の天井や壁面に設置される照明器具に幅広く装着することができる。また、前記照明器具用カバー１は、長尺の蛍光灯や球状の白熱灯等の照明器具にも装着できる。さらに本発明の照明器用カバー１は、図示する円形状に限定されず角状、筒状、楕円状、多角形状等、様々な形状に成型することも可能である。
【００１０】  また特に、前記照明器具用カバー１の基材２は、無色透明な合成樹脂液と蓄光剤との混合材３にて形成されている。合成樹脂としては特に熱可塑性の樹脂液が好ましく、加熱すると液状に軟化して可塑性を示し、冷却すると固化する透明アクリル、ポリエチレン、ポリプロピレン等の素材が挙げられる。
【００１１】  蓄光剤は、周囲の光を蓄え自然発光を可能とするもので、周知の金属化合物や希土類を複数混合し汎用の展色剤を混合して形成するものである。この蓄光剤は、例えばアルミン酸ストロンチューム系、またはホウ酸アルミン酸ストロンチューム系の蓄光剤が使用される。また前記蓄光剤は、消灯後、周囲が暗くなっても周りの状況を確認するのに充分な光力を放つことが可能である。
【００１２】  前記混合材３は、透明の合成樹脂液と蓄光剤とを適宜の割合、例えば５０：５０で混合して形成される。そして、かかる混合材３を型に合わせて所望の形状に賦形した後、硬化ないし冷却固化させることにより照明器用カバー１の基材２が形成される。なお、合成樹脂液と蓄光剤との割合においては特に限定されたものではなく、例えば、合成樹脂液に比する蓄光剤の割合を調節することで、発光輝度を任意に変更させることが可能となる。
【００１３】  前記照明器具用カバー１を照明器具１０の周囲に配設させることで、消灯後、蓄光剤に蓄積された光が発光し、カバー全体が暗闇で高輝度に照らし出される。そのため、電力消費の削減と共に、万一災害発生時に停電が起きた場合でも、図４に示すように、照明器具用カバー１の周辺を明るく照らし出すことができ、優れた災害対策効果を発揮する。
【００１４】  また図２に示すように、前記基材２の表面には、単一あるいは多成分系の金属酸化物ガラス膜により形成されるガラス膜層４が施されている。前記ガラス膜層４は、前記基材２の表面にコーティングするように設けられている。この金属酸化物ガラスからなるガラス膜層４は、酸化チタンや酸化ケイ素と同様に光触媒効果があることが確認されている。
【００１５】  前記ガラス膜４を形成するには、予め加水分解可能な有機金属化合物を、水と有機溶剤の反応液中で、ホウ素イオンの存在下、ハロゲンイオンを触媒にし、ｐＨを２ないし３に調製しつつ加水分解、脱水縮合して反応生成物を生成しておく。そして、この反応生成物を基材２の表面に所定厚み分塗布し、５０〜６０度以下の温度でガラス化させることによりガラス膜を形成する。なお、この金属酸化物ガラスの形成方法は、特開平６−１９９５２８号公報（特許第２５３８５２７号）に記載された周知の技術である。
【００１６】  前記基材２の表面にガラス膜層４を施すことで、ガラス膜のコーティング特性により、基材２の表面に保護膜が形成され、ガラス膜特有の光触媒効果にて表面の保護と共に、殺菌効果も付与することができる。
【００１７】  また他の好適例として、図３に示すように、前記ガラス膜層４の表面に酸化チタン液５を塗布することが好ましい。前記酸化チタン液５は、アモルファスチタン酸溶液（ＰＴＡゾル）とペルオキソ改質アナタース（ＰＡゾル）からなり、前記酸化チタン液５の光触媒機能により、基材２の表面に塵や埃等の汚れが付着するのを一層軽減することができる。また、照明器具周囲の空気を浄化させることも可能となる。
【図面の簡単な説明】
【００１８】
【図１】本発明の照明器具用カバーの断面図である。
【図２】基材の拡大断面図である。
【図３】前記基材に酸化チタン液を塗布した状態の拡大断面図である。
【図４】本発明の照明器具用カバーが暗闇で発光している状態を表す。
【符号の説明】
【００１９】１    照明器具用カバー
２    基材
３    混合材
４    ガラス膜層
５    酸化チタン液
１０  照明器具
【図１】
2008166214.tif 000003
【図２】
2008166214.tif 000004
【図３】
2008166214.tif 000005
【図４】
2008166214.tif 000006